(57)【特許請求の範囲】
【請求項１】
インナーおよびアウター・サイドのリア・エンドにヒンジ・ブラケット・サイド・カバーを備え、そして、そのアウター・サイドの上面にレバー組込みポケットを開口してフロア側に取り付けられるクッション・ベース・フレーム、およびクッション・フォールド機構でそのクッション・ベース・フレームの前端に連結され、そのクッション・ベース・フレーム上にロック可能にされてそのクッション・フォールド機構でそのクッション・ベース・フレーム上からそのクッション・ベース・フレームの前方へ跳ね上げ可能にされる跳上げクッション・パッドからなるシート・クッションと、両リクライニング・デバイスでバック・フレームをそのクッション・ベース・フレームのそのインナーおよびアウター・サイドのそのリア・エンドにヒンジ結合し、そして、そのシート・クッションに前倒しおよび角度調整可能に支持されるシート・バックと、ウォークイン・ストッパー、ウォークイン・ロック・レバー、ウォークイン操作手段、およびウォークイン解除手段などからなり、そのクッション・ベース・フレームのそのレバー組込みポケットにそのウォークイン解除手段を組み込み、そして、そのウォークイン操作手段の操作でそのシート・バックをウォークイン前傾させ、また、そのクッション・ベース・フレーム上からそのクッション・ベース・フレームの前方へその跳上げクッション・パッドを跳ね上げた状態でその露呈されたウォークイン解除手段の操作でそのシート・バックにそのウォークイン前傾をロック解除するウォークイン機構を含む自動車に用いる折りたたみシート。
【請求項２】
そのウォークイン機構が、そのウォークイン・ストッパーをそのバック・フレーム側に配置し、そのウォークイン・ロック・レバーをそのクッション・ベース・フレーム側に配置してそのウォークイン・ストッパーに掛け外し可能にし、そして、そのウォークイン操作手段をレバーになしてそのシート・バックのアウター・サイドの肩口でそのシート・バックの背裏面に開口するレバー・ポケットにそのウォークイン操作手段のレバーを組み込んでそのシート・バックをウォークイン前傾に操作可能にする請求項１に記載の自動車に用いる折りたたみシート。
【発明の詳細な説明】
【技術分野】
【０００１】
この発明は、自動車に用いる折りたたみシートに関し、詳細には、フォールド機構およびウォークイン機構を備え、ウォークイン時、シート・バックを前傾姿勢に保って後席の乗降を容易にし、また、荷室拡大時、シート・クッションを前方へ跳ね上げ、そのシート・バックを前倒しさせてそのシート・バックを荷物載せに活用する折りたたみシートの改良に関する。
【背景技術】
【０００２】
通常、この種の自動車に用いる折りたたみシートは、フォールド機構およびウォークイン機構を備え、ウォークイン時、シート・バックを前傾姿勢にすると同時にシート・トラックのロックが解除され、シートがスプリング力で最前位置に移動され、そして、ウォークイン解除は、その状態からそのシート・バックの起こしに連動して自動的に切換えられ、そのシートを後方へ移動させると、そのシート・トラックのロックがかみ合ってそのシートが固定されるので、シート・クッションを前方へ跳ね上げた状態で空間利用が容易に図れない。
【先行技術文献】
【特許文献】
【０００３】
特開２００４−１２９７５７公報
【発明の概要】
【発明が解決しようとする課題】
【０００４】
この発明の課題は、ウォークイン解除を手動操作になし、前方へ跳ね上げられたシート・クッションの跡空間を利用可能にして着座時や必要でない時には、ウォークイン解除手段をそのシート・クッションに格納し、そのシート・クッションでそのウォークイン解除手段を覆ってそのシート・クッションの着座位置でウォークイン解除操作を確実に防止でき、そして、見映えを向上させるところの自動車に用いる折りたたみシートを提供するにある。
【課題を解決するための手段】
【０００５】
この発明の自動車に用いる折りたたみシートは、インナーおよびアウター・サイドのリア・エンドにヒンジ・ブラケット・サイド・カバーを備え、そして、そのアウター・サイドの上面にレバー組込みポケットを開口してフロア側に取り付けられるクッション・ベース・フレーム、およびクッション・フォールド機構でそのクッション・ベース・フレームの前端に連結され、そのクッション・ベース・フレーム上にロック可能にされてそのクッション・フォールド機構でそのクッション・ベース・フレーム上からそのクッション・ベース・フレームの前方へ跳ね上げ可能にされる跳上げクッション・パッドからなるシート・クッションと、両リクライニング・デバイスでバック・フレームをそのクッション・ベース・フレームのそのインナーおよびアウター・サイドのそのリア・エンドにヒンジ結合し、そして、そのシート・クッションに前倒しおよび角度調整可能に支持されるシート・バックと、ウォークイン・ストッパー、ウォークイン・ロック・レバー、ウォークイン操作手段、およびウォークイン解除手段などからなり、そのクッション・ベース・フレームのそのレバー組込みポケットにそのウォークイン解除手段を組み込み、そして、そのウォークイン操作手段の操作でそのシート・バックをウォークイン前傾させ、また、そのクッション・ベース・フレーム上からそのクッション・ベース・フレームの前方へその跳上げクッション・パッドを跳ね上げた状態でその露呈されたウォークイン解除手段の操作でそのシート・バックにそのウォークイン前傾をロック解除するウォークイン機構とを含む。
【発明の効果】
【０００６】
この発明の自動車に用いる折りたたみシートでは、そのウォークイン解除手段がそのクッション・ベース・フレームのそのレバー組込みポケットに組み込まれ、そして、その跳上げクッション・パッドがそのクッション・ベース・フレーム上にロック可能にされ、また、そのクッション・ベース・フレーム上から前方へ跳ね上げ可能にされるので、ウォークイン解除が手動で操作可能になり、その前方へ跳ね上げられたその跳上げクッション・パッドの跡空間が利用可能になり、着座時や必要でない時にはそのウォークイン解除手段がその跳上げクッション・パッドで覆われて露出せずにそのシート・クッションに格納され、そのシート・クッションの着座位置でウォークイン解除の手動操作が確実に防止され、そして、見映えが向上され、勿論、後席への乗降が容易である。
【図面の簡単な説明】
【０００７】
【図１】ミニ・バンのセカンド・シートに活用されるところのこの発明の自動車に用いる折りたたみシートの具体例を示した斜視図である。
【図２】跳上げクッション・パッドを前方へ跳ね上げた状態でその折りたたみシート示した斜視図である。
【図３】その跳上げクッション・パッドを前方へ跳ね上げ、そして、シート・バックを前倒し状態で示した斜視図である。
【図４】シート・クッションの着座状態でその折りたたみシートを示した部分斜視図である。
【図５】その跳上げクッション・パッドを前方へ跳ね上げた状態でその折りたたみシートを示した部分斜視図である。
【発明を実施するための形態】
【０００８】
この発明の自動車に用いる折りたたみシートは、インナーおよびアウター・サイドのリア・エンドにヒンジ・ブラケット・サイド・カバーを備え、そして、そのアウター・サイドの上面にレバー組込みポケットを開口してフロア側に取り付けられるクッション・ベース・フレーム、およびクッション・フォールド機構でそのクッション・ベース・フレームの前端に連結され、そのクッション・ベース・フレーム上にロック可能にされてそのクッション・フォールド機構でそのクッション・ベース・フレーム上からそのクッション・ベース・フレームの前方へ跳ね上げ可能にされる跳上げクッション・パッドからなるシート・クッションと、両リクライニング・デバイスでバック・フレームをそのクッション・ベース・フレームのそのインナーおよびアウター・サイドのそのリア・エンドにヒンジ結合し、そして、そのシート・クッションに前倒しおよび角度調整可能に支持されるシート・バックと、ウォークイン・ストッパー、ウォークイン・ロック・レバー、ウォークイン操作手段、およびウォークイン解除手段などからなり、そのクッション・ベース・フレームのそのレバー組込みポケットにそのウォークイン解除手段を組み込み、そして、そのウォークイン操作手段の操作でそのシート・バックをウォークイン前傾させ、また、そのクッション・ベース・フレーム上からそのクッション・ベース・フレームの前方へその跳上げクッション・パッドを跳ね上げた状態でその露呈されたウォークイン解除手段の操作でそのシート・バックにそのウォークイン前傾をロック解除するウォークイン機構とを含む。
【０００９】
そして、そのウォークイン機構は、そのウォークイン・ストッパーをそのバック・フレーム側に配置し、そのウォークイン・ロック・レバーをそのクッション・ベース・フレーム側に配置してそのウォークイン・ストッパーに掛け外し可能にし、そして、そのウォークイン操作手段をレバーになしてそのシート・バックのアウター・サイドの肩口でそのシート・バックの背裏面に開口するレバー・ポケットにそのウォークイン操作手段のレバーを組み込んでそのシート・バックをウォークイン前傾に操作可能にする。
【実施例１】
【００１０】
以下、特定されて図示された具体例に基づいて、この発明の自動車に用いる折りたたみシートを説明するに、図1ないし図５は、ミニ・バンの左右６、４分割型セカンド・シー
トに活用されるところのこの発明の自動車に用いる折りたたみシートの具体例１０を示し、この場合、その左右６、４分割型セカンド・シートの左の折りたたみシートに具体化されて示された。
この左の折りたたみシート１０は、センター・クッション１２を一体化した左のシート・クッション１１、センター・バック１４を一体化した左のシート・バック１３、左のヘッドレスト１５、およびセンター・ヘッドレスト１６などから組み立てられて具体化されている。
【００１１】
さらに具体的に説明すると、この左の折りたたみシート１０では、そのシート・クッション１１、１２が、インナーおよびアウター・サイド２２、２３のリア・エンドにヒンジ・ブラケット・サイド・カバー２８、２９を備え、そして、そのアウター・サイド２３の上面２４にレバー組込みポケット２５を開口してフロア側に取り付けられるクッション・ベース・フレーム２０、およびクッション・フォールド機構３２でそのクッション・ベース・フレーム２０の前端に連結され、そのクッション・ベース・フレーム２０上にロック可能にされてそのクッション・フォールド機構３２でそのクッション・ベース・フレーム２０上からそのクッション・ベース・フレーム２０の前方へ跳ね上げ可能にされる跳上げクッション・パッド２１からなるシート・クッション１１、１２と、両リクライニング・デバイス４１、４２でバック・フレームをそのクッション・ベース・フレーム２０のそのインナーおよびアウター・サイド２２、２３のそのリア・エンドにヒンジ結合し、そして、そのシート・クッション１１、１２に前倒しおよび角度調整可能に支持されるシート・バック１３、１４と、ウォークイン・ストッパー、ウォークイン・ロック・レバー、ウォークイン操作手段４４、およびウォークイン解除手段４５などからなり、そのクッション・ベース・フレーム２０のそのレバー組込みポケット２５にそのウォークイン解除手段４５を組み込み、そして、そのウォークイン操作手段４４の操作でそのシート・バック１３、１４をウォークイン前傾させ、また、そのクッション・ベース・フレーム２０上からそのクッション・ベース・フレーム２０の前方へその跳上げクッション・パッド２１を跳ね上げた状態でその露呈されたウォークイン解除手段４５の操作でそのシート・バック１３、１４にそのウォークイン前傾をロック解除する。
【００１２】
そのクッション・ベース・フレーム２０は、所定の厚さの鋼板からプレス成形されてそのアウター・サイド２３の上面２４にそのレバー組込みポケット２５を開口させ、そして、そのインナーおよびアウター・サイド２２、２３のリア・エンドにそのヒンジ・ブラケット・サイド・カバー２９、３０を一体的に組み付けて組み立てられる。
そのヒンジ・ブラケット・サイド・カバー２９、３０は、所定の厚さの鋼板からプレス成形され、そのインナーおよびアウター・サイド２２、２３のそのリア・エンドに一体的に組み付けられてその両リクライニング・デバイス４１、４２のクッション・ヒンジ・ブラケットを対応的に覆う。
また、このクッション・ベース・フレーム２０は、それの前端に左右のリンク・ブラケットはめ込み溝２６、２７に左右のリンク・ブラケット３５、３６を埋込み状態に対応的に取り付けてその左右のリンク・ブラケット３５、３６でそのクッション・フォールド機構３２の左右のクッション・フォールド・アーム３３、３４を対応的に組み付ける。
【００１３】
さらに、このクッション・ベース・フレーム２０には、シート・トラック４６が組み付けられてそのシート全体がそのミニ・バンのボディ・フロアに据え付けられる。勿論、そのシート・トラック４６は、そのミニ・バンのそのボディ・フロアに固定的に取り付けられる左右の固定レール４７、４８およびその左右の固定レール４７、４８に対応的にはめ合わせられて前後に摺動可能に支持される左右の可動レールで組み立てられるスライド機
構とその左右の可動レールをその左右の固定レール４７、４８にロックおよびロック解除するロック機構の組み合わせでそのロック機構はタオル・バー型操作レバー４９でロックおよびロック解除操作される。
【００１４】
その跳上げクッション・パッド２１は、ワイヤ・フレームが内部に、トリム・カバー３１が表面にそれぞれ一体発泡で一体化され、そのクッション・フォールド機構３２でそのクッション・ベース・フレーム２０の前端に連結されてそのワイヤ・フレームのワイヤ３０およびそのクッション・フォールド機構３２でそのクッション・ベース・フレーム２０上にロック可能にされて、そして、そのクッション・フォールド機構３２でそのクッション・ベース・フレーム２０上からそのクッション・ベース・フレーム２０の前方へ跳ね上げ可能にされ、また、そのクッション・ベース・フレーム２０上に戻し可能にされる。
【００１５】
そのシート・バック１３、１４は、シート・バック・フレーム、シート・バック・パッド３７、およびトリム・カバー３８などで組み立てられ、その両リクライニング・デバイス４１、４２でそのシート・バック・フレームをそのクッション・ベース・フレーム２０のそのインナーおよびアウター・サイド２２、２３のそのリア・エンドにヒンジ結合し、そして、そのシート・クッション１１、１２のそのクッション・バース・フレーム２０に前倒しおよび角度調整可能に支持される。
【００１６】
そのウォークイン機構４３は、そのウォークイン・ストッパーをそのバック・フレーム側に配置し、そのウォークイン・ロック・レバーをそのクッション・ベース・フレーム側に配置してそのウォークイン・ストッパーに掛け外し可能にし、そして、そのウォークイン操作手段をレバー４４になしてそのシート・バック１３、１４のアウター・サイドの肩口でそのシート・バック１３、１４の背裏面３９に開口するレバー組込みポケット４０にそのウォークイン操作レバー４４を組み込んでそのシート・バック１３、１４をウォークイン前傾に操作可能にしている。勿論、このウォークイン機構４３は、そのシート・クッション１１、１２のそのクッション・ベース・フレーム２０のそのレバー組込みポケット２５にそのウォークイン解除レバー４５を組み込み、その跳上げクッション・パッド２１の跳上げ状態でそのウォークイン解除レバー４５が操作可能になってそのウォークイン解除レバー４５の操作でそのシート・バック１３、１４にそのウォークイン前傾をロック解除する。
【００１７】
したがって、この左の折りたたみシート１０では、そのウォークイン解除手段４５がそのクッション・ベース・フレーム２０のそのレバー組込みポケット２５に組み込まれ、そして、その跳上げクッション・パッド２１がそのクッション・ベース・フレーム２０上にロック可能にされ、また、そのクッション・ベース・フレーム２０上から前方へ跳ね上げ可能にされるので、ウォークイン解除が手動で操作可能になり、その前方へ跳ね上げられたその跳上げクッション・パッド２１の跡空間が利用可能になり、着座時や必要でない時にはそのウォークイン解除手段４５がその跳上げクッション・パッド２１で覆われて露出せずにそのシート・クッション１１、１２に格納され、そのシート・クッション１１、１２の着座位置でウォークイン解除の手動操作が確実に防止され、そして、見映えが向上され、勿論、後席への乗降が容易である。
【００１８】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１９】
上述から理解されるように、この発明の自動車に用いる折りたたみシートは、インナーおよびアウター・サイドのリア・エンドにヒンジ・ブラケット・サイド・カバーを備え、そして、そのアウター・サイドの上面にレバー組込みポケットを開口してフロア側に取り付けられるクッション・ベース・フレーム、およびクッション・フォールド機構でそのクッション・ベース・フレームの前端に連結され、そのクッション・ベース・フレーム上にロック可能にされてそのクッション・フォールド機構でそのクッション・ベース・フレーム上からそのクッション・ベース・フレームの前方へ跳ね上げ可能にされる跳上げクッション・パッドからなるシート・クッションと、両リクライニング・デバイスでバック・フレームをそのクッション・ベース・フレームのそのインナーおよびアウター・サイドのそのリア・エンドにヒンジ結合し、そして、そのシート・クッションに前倒しおよび角度調整可能に支持されるシート・バックと、ウォークイン・ストッパー、ウォークイン・ロック・レバー、ウォークイン操作手段、およびウォークイン解除手段などからなり、そのクッション・ベース・フレームのそのレバー組込みポケットにそのウォークイン解除手段を組み込み、そして、そのウォークイン操作手段の操作でそのシート・バックをウォークイン前傾させ、また、そのクッション・ベース・フレーム上からそのクッション・ベース・フレームの前方へその跳上げクッション・パッドを跳ね上げた状態でその露呈されたウォークイン解除手段の操作でそのシート・バックにそのウォークイン前傾をロック解除するウォークイン機構を含むので、この発明の自動車に用いる折りたたみシートでは、ウォークイン解除が手動で操作可能になり、その前方へ跳ね上げられたその跳上げクッション・パッドの跡空間が利用可能になり、着座時や必要でない時にはそのウォークイン解除手段がその跳上げクッション・パッドで覆われて露出せずにそのシート・クッションに格納され、そのシート・クッションの着座位置でウォークイン解除の手動操作が確実に防止され、そして、見映えが向上され、勿論、後席への乗降が容易であり、その結果、自動車、特に、バンやワゴンにとって非常に有用で実用的である。
【符号の説明】
【００２０】
１０  折りたたみシート／右の折りたたみシート
１１  左のシート・クッション
１２  センター・クッション
１３  左のシート・バック
１４  センター・バック
１５  左のヘッドレスト
１６  センター・ヘッドレスト
２０  クッション・ベース・フレーム
２１  跳上げクッション・パッド
２２  インナー・サイド
２３  アウター・サイド
２４  上面
２５  レバー組込みポケット
２６  左のリンク・ブラケットはめ込み溝
２７  右のリンク・ブラケットはめ込み溝
２８  ヒンジ・ブラケット・サイド・カバー
２９  ヒンジ・ブラケット・サイド・カバー
３０  ワイヤ・フレームのワイヤ
３１  トリム・カバー
３２  クッション・フォールド機構
３３  左のクッション・フォールド・アーム
３４  右のクッション・フォールド・アーム
３５  左のリンク・ブラケット
３６  右のリンク・ブラケット
３７  シート・バック・パッド
３８  トリム・カバー
３９  背裏面
４０  レバー・ポケット／レバー組込みポケット
４１  リクライニング・デバイス
４２  リクライニング・デバイス
４３  ウォークイン機構
４４  ウォークイン操作手段／ウォークイン操作レバー
４５  ウォークイン解除手段／ウォークイン解除レバー
４６  シート・トラック
４７  左の固定レール
４８  右の固定レール
４９  タオル・バー型操作レバー
【図１】
0005771538.tif 000002
【図２】
0005771538.tif 000003
【図３】
0005771538.tif 000004
【図４】
0005771538.tif 000005
【図５】
0005771538.tif 000006